(57)【要約】【課題】持ち運び性、収納性に優れた折り畳み構造を備え、かつ、軽量化を図りながら、十分な耐久性を備えた折り畳み椅子の構造を実現する。【解決手段】１対の脚フレーム部材７からなる脚構造２と、１つのシート支持部材１０と、１対の肘掛け３ａとを備え、肘掛３ａの一部である固定軸１６と、脚構造２を構成する前側の脚部６および後側の脚部６とを固定し、肘掛３ａの他の一部である回転軸１７とシート支持部材１０とを固定し、固定軸１６と回転軸１７とが、肘掛３ａの中心軸を中心にして相対的に回転し、１対のシート支持部材１０が相互に干渉することなく、折り畳み可能となっている。【選択図】図１
2010268964.tif 000002
【特許請求の範囲】
【請求項１】
前側の脚部と後側の脚部とが連結された１対の脚フレーム部材からなり、前側の脚部および後側の脚部同士が軸方向中間部で回動自在に連結されている脚構造と、
略Ｌ字型で、座面と背もたれのシートを支持する１対のシート支持部材と、
一部に前記前側の脚部と前記後側の脚部が固定され、他の一部に前記シート支持部材が固定された、１対の肘掛とを備える折り畳み椅子であって、
前記肘掛の一部と、前記肘掛の他の一部とが、該肘掛の中心軸を中心にして相対的に回転することで、前記１対のシート支持部材が相互に干渉することなく、折り畳み可能となっている、折り畳み椅子。
【請求項２】
前記肘掛の一部が、前記前側の脚部の上端部に固定された前側固定軸と、前記後側の脚部の上端部に固定された後側固定軸とであり、
前記肘掛の他の一部が、円筒状の軸部材からなる回転軸であり、
該回転軸の両端部を、前記前側固定軸および後側固定軸に対して接続している、請求項１に記載した折り畳み椅子
【請求項３】
前記肘掛の一部が、前側端部を前記前側の脚部の上端部に、後側端部を前記後側の脚部の上端部に固定された固定軸からなり、
前記肘掛の他の一部が、各肘掛ごとに設けた、１対の円筒状の回転軸からなり、
該回転軸のうち、前側回転軸は、前記固定軸の中間部前側外周面に、後側回転軸を、前記固定軸の中間部後側外周面に組み付けている、請求項１に記載した折り畳み椅子。
【請求項４】
前記肘掛の他の一部の軸方向複数位置に、前記両シート支持部材を固定するボルトを挿通するための通孔が設けられており、これら各通孔にボルトを挿通した状態で、前記肘掛の他の一部と、前記両シート支持部材とを、相対回転しない状態で固定しており、
前記肘掛の一部の、該ボルトと該肘掛の一部の軸方向に整合する位置に、該ボルトと該肘掛の一部との干渉を防止する、干渉防止構造を設けている、請求項２または３に記載した折り畳み椅子。
【発明の詳細な説明】
【技術分野】
【０００１】
この発明は、展開および折り畳みが簡単であり、収納しやすく、かつ、使用する際に十分な強度および耐久性を備える折り畳み椅子の改良に関する。
【背景技術】
【０００２】
折り畳み椅子には、折り畳んだ状態での収納性や、持ち運びの際の利便性などが求められている。また、このような折り畳み椅子は、キャンプサイトなどの屋外で使用されるが、使用に際して十分な強度や耐久性が求められる。
【０００３】
このような折り畳み椅子には種々の構造のものが存在するが、折り畳み椅子の一種として、図１０に示す、左右折り畳み形式の折り畳み椅子１が知られている。この折り畳み椅子１は、脚構造２と、１対の肘掛３と、背もたれ４と、座面９とを備える。
【０００４】
左右折り畳みを可能とするために、脚構造２は、前後の脚部６を基部５により連結した１対の脚フレーム部材７からなり、かかるフレーム部材７は、ピボットピンなどにより、前後それぞれの脚部６の軸方向中間部で回動自在に連結されている。
【０００５】
背もたれ４と座面９は、それぞれを構成するシート部材１１と、これを支持するための略Ｌ字型をした１対のシート支持部材１０とからなっている。
【０００６】
それぞれの肘掛３は、木製であり、一方の脚フレーム部材７の脚部６の前後の上端部同士を掛け渡すように、脚部６に接続されている。また、それぞれの肘掛３の前端部には、一方のシート支持部材１０の前方側先端部が、肘掛３の後端部には、一方のシート支持部材１０の後方側中間部が、それぞれネジ止めなどにより固定されている。すなわち、これらの部材は左右１対として構成される。
【０００７】
肘掛３と脚部６の接続は、図１１に示すように、肘掛３の両端部の一部に切り欠き１２を設け（図１１には前端部側のみを示す）、脚部６の上端部を切り欠き１２に挿入した状態で、脚部６の上端部を肘掛３に固定されたピボット軸により回動可能に支承している。
【０００８】
これにより、肘掛３を持ち上げることにより、脚フレーム部材７同士が連結部を中心に相互に回動して折り畳まれ、かつ、左右の肘掛３とシート支持部材１０が平行関係を保持したまま、相互に接近することにより、椅子の幅方向（左右方向）への折り畳みが可能となっている。
【０００９】
この折り畳み椅子１は、折り畳み性に関しては優れた構造を備えている。ただし、肘掛３は、ピボット軸により脚フレーム部材７の脚部６の上端部を回動可能に支承する必要があるため、木製の中実材により構成される。かかる木製の肘掛３の両端部に、脚部６の上端部を受け入れる切り欠き１２が設けられているため、肘掛３に強い応力が掛かったりした場合に、かかる両端部における強度が不十分となったりする可能性がある。
【００１０】
また、耐久性や素材の共通性、製造コストの観点から、肘掛３を、脚フレーム部材７やシート支持部材１０などの他の金属製部材と同様に、アルミニウムやスチールなどの金属製材料により構成することが要求される場合もある。
【００１１】
しかしながら、金属製材料に切り欠き１２とピボット軸により脚を支承する構造を形成する作業は面倒であり、製造コストが嵩み、量産には適しているとはいえない。特に、金属製材料の場合、軽量化の観点から中実材の採用は難しく、中空材を用いることになるが、このような中空材に上記構造を採用することは、中実材と比較してより難しく、中空材の厚さや切り欠きの構造によっては、同様に肘掛３の耐久性に問題が生ずる可能性がある。
【先行技術文献】
【非特許文献】
【００１２】
【非特許文献１】「ＮＹチェアシリーズにみる新居猛のデザイン思想」（片山勢津子、「デザイン学研究．研究発表大会概要集」、日本デザイン学会、２００５年）
【発明の概要】
【発明が解決しようとする課題】
【００１３】
本発明は、特に左右折り畳み形式の折り畳み椅子について、収納性や取扱いの容易性などの利点を維持しつつ、肘掛を含めて、骨格を構成する部材のすべてを金属製材料のパイプ部材から構成して、軽量化を図りつつ、その耐久性を確保し、さらに製造コストを押さえ、量産に適した構造を実現することを目的とする。
【課題を解決するための手段】
【００１４】
本発明の折り畳み椅子は、前側の脚部と後側の脚部とが連結された１対の脚フレーム部材からなり、前側の脚部および後側の脚部同士が軸方向中間部で回動自在に連結されている脚構造を備える。
【００１５】
また、略Ｌ字型で、座面と背もたれのシートを支持する１対のシート支持部材を備える。
【００１６】
また、一部に前記前側の脚部と前記後側の脚部が固定され、他の一部に前記シート支持部材が固定された、１対の肘掛とを備える。
【００１７】
さらに、前記肘掛の一部と、前記肘掛の他の一部とが、該肘掛の中心軸を中心にして相対的に回転することで、前記１対のシート支持部材が相互に干渉することなく、折り畳み可能としている。
【００１８】
より具体的には、前記肘掛の一部を、前記前側の脚部の上端部に固定された前側固定軸と、前記後側の脚部の上端部に固定された後側固定軸とで構成する。
【００１９】
また、前記肘掛の他の一部を、円筒状の軸部材からなる回転軸とする。
【００２０】
そして、該回転軸の両端部を、前記前側固定軸および後側固定軸に対して、該前側固定軸および後側固定軸の中心軸を中心として相対的に回転可能な状態に接続する。
【００２１】
もしくは、前記肘掛の一部を、前側端部を前記前側の脚部の上端部に、後側端部を前記後側の脚部の上端部に固定された固定軸により構成する。
【００２２】
また、前記肘掛の他の一部を、肘掛ごとに設けた、１対の円筒状の回転軸により構成する。
【００２３】
そして、該回転軸のうち、前側回転軸は、前記固定軸の中間部前側外周面に、後側回転軸を、前記固定軸の中間部後側外周面に、該回転軸を該固定軸に対して、該固定軸および回転軸の中心軸を中心として相対的に回転可能な状態に組み付ける。
【００２４】
いずれの場合においても、前記肘掛の他の一部の軸方向複数位置に、前記両シート支持部材を固定するボルトを挿通するための通孔を設ける。そして、これら各通孔にボルトを挿通した状態で、前記肘掛の他の一部と、前記両シート支持部材とを、相対回転しない状態で固定する。
【００２５】
さらに、前記肘掛の一部の、該ボルトと該肘掛の一部の軸方向に整合する位置に、該ボルトと該肘掛の一部との干渉を防止する、干渉防止構造を設けることが好ましい。
【発明の効果】
【００２６】
上述のように構成する本発明の折り畳み椅子の場合には、１対の肘掛のそれぞれを、脚フレーム部材を構成する両脚部に対して固定された固定軸と、該固定軸に対して相対回転可能な状態で設けられた回転軸とにより構成している。また、背もたれ部を構成する両シート支持部材は、該回転軸に固定され、前記固定軸に対して、該回転軸と共に相対回転する。
【００２７】
このため、前記両脚フレーム部材同士を回動させて椅子を折り畳む際に、前記両シート支持部材の上端部同士が当接することを防止することができる。
【００２８】
また、前記固定軸を、前側の脚部の上端部に固定された前側固定軸と、前記後側の脚部の上端部に固定された後側固定軸とにより構成すれば、肘掛の軽量化、延いては折り畳み椅子全体の軽量化を図ることができる。
【００２９】
また、前側固定軸および後側固定軸の軸方向長さをある程度確保したり、固定軸を、該固定軸の前側端部を前側の脚部の上端部に、後側端部を後側の脚部の上端部に固定する１つの固定軸部材により構成したりすれば、耐久性の向上を図ることができる。
【００３０】
また、上述したような構造の場合、前記前側固定軸、後側固定軸、および固定軸部材の、前記各ねじの位置と軸方向に整合する位置に、該各ねじと該前側固定軸、後側固定軸、および固定軸部材との干渉を防止する、干渉防止構造を設ければ、前記回転軸を回転した際に、該回転軸が該固定軸に対して相対回転することを妨げることがない。
【００３１】
また、本願発明の折り畳み椅子は、全体をアルミニウムやスチールなどの金属製のパイプ部材により構成することができる。このため、剛性が高く、水などに対しての耐久性も高く、キャンプサイトなどの屋外（特に海岸や河川敷など）での使用に関しても、十分な耐久性を得ることができる。
【００３２】
さらに、本願発明の折り畳み椅子を構成する各部品は、ダイキャスト成形などにより成形することができる。このため、製造コストを抑え、量産に適した構造を実現できる。
【図面の簡単な説明】
【００３３】
【図１】本発明の折り畳み椅子の一態様を示す斜視図である。
【図２】本発明の実施の形態の第１例における肘掛の脚フレーム部材に対する支持構造を示す、図１の右側から見た状態の部分切断断面図である。
【図３】本発明の折り畳み椅子の一態様における、展開および折り畳みの動作を示す模式図である。
【図４】背もたれが別構造である、折り畳み椅子の折り畳み動作を説明するための斜視図。
【図５】本発明の実施の形態の第２例を示す、図２と同様の図である。
【図６】図５のイ―イ断面図である。
【図７】本発明の実施の形態の第３例における、肘掛、脚フレーム部材、シート支持部材の関係を示す、部分斜視図である。
【図８】本発明の実施の形態の第３例における、図２と同様の図である。
【図９】図８のロ―ロ断面図である。
【図１０】従来構造の第１例を示す、斜視図である。
【図１１】従来構造の第１例における、折り畳み時のシート支持部材の上端部同士の当接を防止する構造を示す、図１０のＸ部に相当する図である。
【発明を実施するための形態】
【００３４】
［実施の形態の第１例］
図１〜３に、本発明の折り畳み椅子の実施の形態の第１例を示す。なお、本例の折り畳み椅子１ａの主な特徴は、図１０に示した折り畳み椅子１において、肘掛３の構造を工夫した点にある。この本発明の特徴以外の構造および作用は、図１０に示した従来構造の折り畳み椅子１とほぼ同様の構成を有するから、同等部分には同一符号を付して、重複する説明は省略若しくは簡略にする。
【００３５】
図２は、図１に示す折り畳み椅子１ａを構成する１対の肘掛３ａのうち、右側の肘掛３ａの構造を示す図である。左側の肘掛３ａは、図２の構造と、椅子の幅方向（図１および図３の左右方向）に関して対称な構造を備えている。このため、前記折り畳み椅子１ａの折り畳み、展開に際しては、左側の肘掛３ａは、右側の肘掛３ａと対称的かつ同時的に動作することになる。以下、右側の肘掛３ａの構造に関して説明する。
【００３６】
本例の折り畳み椅子１ａは、図１０に示した従来の折り畳み椅子１と同様に、脚構造２と、１対の肘掛３ａと、背もたれ４と、座面９とを備える。特に、本例の場合、図２に示すように、肘掛３ａは、軸方向に接続された固定軸１６と回転軸１７とにより構成している。固定軸１６は、肘掛３ａの一部に相当し、回転軸１７は、肘掛３ａの他の一部に相当する。
【００３７】
本発明では、脚構造２を構成する脚フレーム部材７、背もたれ４および座面９を構成するシート支持部材１０のほか、肘掛３ａについても、金属製材料により構成する。金属製材料としては、各種金属を使用環境、用途などに対応させて適宜選択することができ、例えば、アルミニウム、アルミニウム合金などの軽金属製材料や、鉄製材料、スチールなどの鉄系合金製材料などを用いることができる。かかる金属製材料は、軽量化の観点から、金属パイプなどの円筒状部材（中空材）により構成される。
【００３８】
なお、シート部材は、織布などの可撓性のあるシート材料により形成される。本例では、１つのシート部材により、背もたれ４と座面９を構成しているが、２つのシート部材により背もたれ４と座面９をそれぞれ構成するようにしてもよい。
【００３９】
肘掛３ａのうち、固定軸１６は、脚構造２を構成する脚フレーム部材７のそれぞれにおける、前側の脚部６の上端部に固定され、金属製材料からなる杆状部材である前側固定軸１８と、後側の脚部６の上端部に固定され、同様に金属製材料からなる杆状部材である後側固定軸１９とにより構成されている。また、前側および後側固定軸１８、１９の一端部（前側固定軸１８の場合、前側端部であり、図２の左側、後側固定軸１９の場合、後側端部であり、図２の右側）には、図２に示すように、これらの固定軸１８、１９の径方向に伸長し、前側および後側の脚部６の上端部に結合固定するための結合部２１を、溶接などにより結合している。
【００４０】
なお、前側および後側固定軸１８、１９と結合部２１とをダイキャスト成形などにより、一体に成形することもできる。
【００４１】
また、固定軸１８は、略Ｌ字形の円筒状部材において、相互に略直角の方向に向く開口に、回転軸１７もしくは脚部６に挿入結合可能な結合部を、螺合ないしは嵌合などにより、それぞれ固定したものでもよい。
【００４２】
一方、肘掛３ａの他の一部に相当する回転軸１７は、金属製材料からなる円筒状の軸部材であり、回転軸１７の軸方向中間部の両端寄り部分には、直径方向の２箇所に１対の通孔２３がそれぞれ設けられている。なお、回転軸１７の中間部外周面に、ラバー、プラスチック、布地製の円筒状のクッション材２４（図１参照）などで覆うこともできる。
【００４３】
前方および後側の脚部６、前側および後側固定軸１８、１９、回転軸１７は、図２に示すように、前側および後側固定軸１８、１９の先端部を回転軸１７の両端部に挿入し、脚フレーム部材７と前側および後側固定軸１８、１９により回転軸１７を挟むようにして組み付けられて、肘掛３ａを構成している。また、前側および後側固定軸１８、１９の先端部の外径は、回転軸１７の軸方向両端部の内径よりも小さく（後述する結合部２１と同様の構造でよい）、回転軸１７と前側および後側固定軸１８、１９は、回転軸１７と前側および後側固定軸１８、１９の中心軸を中心に相対的な回転を可能としている。
【００４４】
各結合部２１の先端部外周面には、全周にわたり、溝２２を形成しており、該先端部外周面を、前記前側および後側の脚部６の上端部の円筒状部分に内嵌固定して、さらに脚部６の上端部外周面のうち、溝２２と整合する位置を加締めることにより、結合部２１と各脚部６とを結合固定している。なお、その他、ネジ止めなど他の手段による固定でもよい。
【００４５】
さらに、ボルト２０（図２では省略）を用いて、回転軸１７の軸方向中間部の両端寄り部分に形成した径方向に整合する各通孔２３と、両シート支持部材１０に設けた通孔（図示せず）とを貫通させ、ナット（図示せず）により回転軸１７とシート支持部材１０とを相対回転しない状態で結合固定している。なお、シート支持部材１０においては、前方側先端部と後方側中間部に対応する通孔が設けられている。
【００４６】
上述したように、各部材を組み付けた状態で、前側および後側固定軸１８、１９の先端面の位置を、前側固定軸１８に関しては、前側のボルト２０（前側の通孔２３）よりも前側に、後側固定軸１９に関しては、後側のボルト２０（後側の通孔２３）よりも後側に位置するようにして、各ボルト２０と前側および後側固定軸１８、１９とが干渉することを防止している。
【００４７】
上述したような構造の折り畳み椅子１ａを折り畳む際の動作を、この折り畳み椅子１ａの機構を模式的に示した図３を参照しつつ、以下に説明する。
【００４８】
まず、図３（ａ）に示す状態から、１対の脚フレーム部材７同士の回動に伴って、両肘掛３ａおよび両シート支持部材１０同士を相互に近接する方向に変位させると同時に、両肘掛３ａの両回転軸１７のうち、右側の回転軸１７を矢印Ａの方向へ、左側の回転軸１７を矢印Ｂの方向へと回転させる。このようにして、シート支持部材１０同士を所定の角度に保ちながら、図３（ｂ）→（ｃ）に示す状態にまで折り畳む。
【００４９】
なお、本例の折り畳み椅子１ａを展開する動作では、図３（ｃ）に示す状態から、図３（ａ）に示す状態まで、折り畳み動作と逆の動作を行えばよい。
【００５０】
このような、本例の折り畳み椅子１ａの場合、両シート支持部材１０が両回転軸１７に相対回転しない状態で結合固定されており、回転軸１７は、両固定軸１６に対して相対回転可能に組み付けられている。このため、上述したように、両シート支持部材１０同士を一定の角度を保ったまま平行移動させることで、該シート支持部材１０の上端部同士が干渉することなく折り畳むことができ、収納性の向上を図れる。
【００５１】
また、両固定軸１６を構成する各前側および後側固定軸１８、１９の軸方向長さを短くし、両回転軸１７を円筒状にしているため、肘掛部分の軽量化を図ることができる。
【００５２】
また、前記肘掛を金属製材料（特に、アルミニウムなどの軽金属製材料）のパイプ部材とすることにより、軽量ながらも、使用時における荷重に対する強度を確保でき、さらには、屋外などでの使用環境に対して十分な耐久性を確保することができる。
【００５３】
また、本例の折り畳み椅子１ａを構成する各部品は、ダイキャスト成形などにより成形することができる。このため、製造コストを抑え、量産にも適している。
【００５４】
なお、背もたれ４を構成するシート支持部材１０を、図４に示すように、２つの部材をピボットピンなどにより折り畳み可能に結合した構造とすることもできる。このような折り畳み椅子の場合、図４に示す状態に背もたれ４を折り畳んでから、前述した図３に示す折り畳み動作を行う。このような構造とした場合にも、前記実施の形態の第１例と同様の作用、効果を得ることができ、さらに、背もたれ４を折り畳んだ分だけ、折り畳み椅子の高さ方向の収納性の向上を図ることができる。
【００５５】
［実施の形態の第２例］
図５および図６に、本発明の実施の形態の第２例を示す。第２例では、肘掛の構造が第１例と異なるのみで、その他の構造は第１例と同様である。また、図５および図６は、右側の肘掛３ｂの構造のみを示しているが、第１例と同様に、左側の肘掛３ｂは、この折り畳み椅子の折り畳み、展開に際しては、右側の肘掛３ｂと対称的かつ同時的に動作することになる。
【００５６】
本例の折り畳み椅子は、肘掛３ｂの一部に相当する固定軸１６ａを構成する前側および後側固定軸１８ａ、１９ａの軸方向長さを、実施の形態の第１例の折り畳み椅子１ａの前側および後側固定軸１８、１９と比べて、長くしている。また、前側および後側固定軸１８ａ、１９ａを少なくとも先端部が杆状である軸部材としている。
【００５７】
また、前側および後側固定軸１８ａ、１９ａの軸方向中間部で、組み付けた状態で各ボルト２０（図６参照、図５では省略）と整合する位置には、ボルト２０との緩衝防止構造として、干渉防止通孔２５を形成している。なお、干渉防止通孔２５の幅方向（図５の左右方向）寸法は、前記各ボルト２０と該幅方向で干渉しない程度の大きさであればよい。
【００５８】
なお、干渉防止構造とは、本例の干渉防止通孔２５、および後述する実施の形態の第３例の干渉防止通孔２５ａの構造に限られるものではない。前記回転軸とシート支持部材１０とを結合している各ボルト２０と、固定軸との干渉を防止できる各種構造を採用することができる。
【００５９】
各干渉防止通孔２５は、図６に示すように、断面形状が略リボン型であり、各ボルト２０が、干渉防止通孔２５内で、図６に示す状態から、所定の方向（図６の時計方向）に所定の角度（６０度程度）だけ回転可能な形状としている。なお、図６は、本例の折り畳み椅子の使用状態における、各ボルト２０と干渉防止通孔２５との位置関係を示している。
【００６０】
また、各ボルト２０は、所定の方向に、所定の角度だけ回転すると、各干渉防止通孔２５の円周方向側面２６に当接する。このため、前記所定の方向に前記所定の角度以上回転することはない。
【００６１】
また、各ボルト２０は、前記所定の方向と反対方向（図５の上側方向、図６の時計と反対方向）に回転すると、各干渉防止通孔２５の円周方向側面２６ａに当接する。このため、前記反対方向に図６に示す状態よりも大きく回転することはない。
【００６２】
このような本例の折り畳み椅子の場合、第１例と同様に、折り畳み動作において、図３（ａ）に示す状態から、１対の脚フレーム部材７同士の回動に伴ない、両肘掛３ｂ（図３では３ａ）および両シート支持部材１０同士を相互に近接する方向に変位させると同時に、両肘掛３ｂの両回転軸１７のうち、右側の回転軸１７を矢印Ａの方向へ、左側の回転軸１７を矢印Ｂの方向へと回転させる。このようにして、シート支持部材１０同士を所定の角度に保ちながら、図３（ｂ）→（ｃ）に示す状態にまで折り畳む。この際、各干渉防止通孔２５を形成しているため、前記所定の角度内では、各ボルト２０が、前側および後側固定軸１８ａ、１９ａと干渉することなく回転することができる。
【００６３】
また、各ボルト２０が前記所定の方向に、所定の角度だけ回転した状態で、ボルト２０の中間部が、各干渉防止通孔２５の円周方向側面２６と当接する。このため、前記所定の方向に、これ以上回転することを防止でき、折り畳んだ状態で、必要以上に、両シート支持部材１０の上端部同士の距離が広がることを防止できる。
【００６４】
また、組立ての際、回転軸１７を前記所定の方向と反対方向に回転させることで、使用状態における前記両シート支持部材１０の角度を調整する。この際、前記各ボルト２０を、円周方向側面２６ａに当接するまで回転させれば、特別な調整を必要とすることなく、両シート支持部材１０を適切な角度に調整することができる。
【００６５】
また、本例の折り畳み椅子の固定軸１６ａを構成する前側および後側固定軸１８ａ、１９ａの軸方向長さは、実施の形態の第１例の折り畳み椅子１ａと比べて、長くしている。このため、前記第１例に比べて、重量は大きくなるが、前側および後側固定軸１８ａ、１９ａと回転軸１７との組み付け状態における剛性を高くすることができる。
【００６６】
なお、本例の場合、前側および後側固定軸１８ａ、１９ａの先端部を、杆状部材としているが、円筒状部材により構成することもできる。この場合、干渉防止通孔の構造として、後述する実施の形態の第３例の干渉防止通孔２５ａなどの構造とすることもできる。
【００６７】
その他の部分の構造および作用は、上述した実施の形態の第１例と同様であるから、同等部分には同一符号を付して、重複する説明を省略する。
【００６８】
［実施の形態の第３例］
図７〜９に、本発明の実施の形態の第３例を示す。
【００６９】
本例の折り畳み椅子１ｂは、肘掛３ｃ一部に相当する固定軸１６ｂを、アルミニウムなどの軽量金属製である円筒状の軸部材により構成している。また、固定軸１６ｂの両端部には、脚フレーム部材２を構成する脚部６の上端部に結合固定するための、結合部２１を、溶接などにより結合している。
【００７０】
また、固定軸１６ｂの軸方向中間部で、後述する回転軸１７ａと背もたれ４および座面９を構成するシート支持部材１０とを固定している各ボルト２０と、組み付けた状態で整合する位置には、該ネジ２０との干渉を防止する構造として、干渉防止通孔２５ａを形成している。
【００７１】
各干渉防止通孔２５ａは、図８、図９に示すように、各ボルト２０が、各干渉防止通孔２５ａ内で、所定の方向（図８の下側方向、図９の時計方向）に所定の角度（６０度程度）だけ回転可能な形状としている。なお、図９は、本例の折り畳み椅子１ｂの使用状態における、各ボルト２０と干渉防止通孔２５ａとの位置関係を示している。
【００７２】
また、各ボルト２０は、前記所定の角度だけ回転すると、ボルト２０の軸方向中間部が各干渉防止通孔２５ａの円周方向側面２７に当接する。このため、前記所定の方向に前記所定の角度以上回転することはない。
【００７３】
また、各ボルト２０は、前記所定の方向と反対方向（図８の上側方向、図９の時計と反対方向）に回転すると、各干渉防止通孔２５ａの円周方向側面２７ａに当接する。このため、前記反対方向に図９に示す状態よりも大きく回転することはない。
【００７４】
また、肘掛３ｃ他の一部に相当する回転軸１７ａは、１対の円筒状部材により構成している。また、各回転軸１７ａのうちの、前側（図７、８の左側）の回転軸１７ａは、固定軸１６ｂの中間部前側外周面に、後側（図７、８の右側）の回転軸１７ａは、固定軸１６ｂの中間部後側外周面に、固定軸１６ｂに対して、該固定軸１６ｂおよび回転軸１７ａの中心軸を中心に相対回転可能に組み付けられている。そして、両回転軸１７ａは、シート支持部材１０に対して相対回転しない状態でボルト２０により固定している。
【００７５】
このような本例の折り畳み椅子１ｂの場合、折り畳み椅子１ｂの折り畳み動作において、前記固定軸１６ｂ同士を近づける方向へと回動させる。この際、該固定軸１６ｂに対して前記回転軸１７ａは、相対回転を可能な状態で組み付けられている。また、両回転軸１７ａと、シート支持部材１０とは相対回転しない。このため、前記シート支持部材１０同士を、図３（ａ）に示すような一定の角度を保ったまま、互いに近づく方向へと平行移動させることができる。このため、両シート支持部材１０の上端部が干渉することなく、図３（ｃ）に示す状態に折り畳むことができる。
【００７６】
なお、シート支持部材１０の回動に伴ない、回転軸１７ａが前記所定の角度だけ回転すると、各ボルト２０の中間部が、各干渉防止通孔２５ａの円周方向側面２７と当接する。このため、前記所定の方向に、これ以上回転することを防止でき、折り畳んだ状態で、必要以上に、両シート支持部材１０の上端部同士の距離が広がることを防止できる。
【００７７】
また、組立ての際には、各ボルト２０が、円周方向側面２７ａに当接するまで、両シート支持部材１０を回動させれば、特別な調整を必要とすることなく、両シート支持部材１０を適切な角度に調整することができる。
【００７８】
また、本例の折り畳み椅子１ｂの、固定軸１６ｂは、連続した１つの軸部材からなる。このため、実施の形態の第１例、第２例の折り畳み椅子と比べて、固定軸１６ｂと回転軸１７ａとの組み付け状態における剛性を高くすることができる。
【００７９】
なお、本例の固定軸１６ｂは、円筒状であるが、さらに剛性を高くしたい場合には、杆状部材とすることもできる。このような場合、干渉防止通孔２５ａの構造を、前述した実施の形態の第２例のような構造とすることができる。
【００８０】
その他の部分の構造および作用は、上述した実施の形態の第２例と同様であるから、同等部分には同一符号を付して、重複する説明を省略する。
【産業上の利用可能性】
【００８１】
本発明は、収納状態である折り畳み状態と展開状態である使用状態との間で折り畳みおよび展開可能である、左右折り畳み形式の折り畳み椅子に適用される。
【符号の説明】
【００８２】
１  １ａ  １ｂ  折り畳み椅子
２  脚構造
３  ３ａ  ３ｂ  ３ｃ  肘掛
４  背もたれ
５  脚フレーム基部
６  脚部
７  脚フレーム部材
９  座面
１０  シート支持部材
１１  シート部材
１２  切り欠き
１６  １６ａ  １６ｂ  固定軸  
１７  回転軸
１８  １８ａ  前側固定軸
１９  １９ａ  後側固定軸  
２０  ボルト  
２１  結合部
２２  溝
２３  通孔
２４  クッション材
２５  ２５ａ  干渉防止通孔
２６  ２６ａ  円周方向側面
２７  ２７ａ  円周方向側面
【図１】
2010268964.tif 000003
【図２】
2010268964.tif 000004
【図３】
2010268964.tif 000005
【図４】
2010268964.tif 000006
【図５】
2010268964.tif 000007
【図６】
2010268964.tif 000008
【図７】
2010268964.tif 000009
【図８】
2010268964.tif 000010
【図９】
2010268964.tif 000011
【図１０】
2010268964.tif 000012
【図１１】
2010268964.tif 000013